(57)【要約】【課題】 再蒸発蒸気を吸引したスチームエゼクタから供給する蒸気圧力を精度良く調節することができると共に、スチームエゼクタで効率良く再蒸発蒸気を吸引することのできる蒸気の廃熱回収及び減圧装置を得ること。【解決手段】 再蒸発タンク１の内部にスチームエゼクタ３，８を配置する。スチームエゼクタ３，８の吸引室１２，１３は吸引管１１と連通する。吸引管１１と吸引室１２の間に三方切換弁２６を介在する。スチームエゼクタ３，８に蒸気供給管９を接続して、圧力調節弁１０を取り付ける。復水供給管２から再蒸発タンク１内へ供給された復水の一部は再蒸発して、スチームエゼクタ３，８の吸引室１２，１３へ吸引される。残った復水は下方に配置された液体圧送部材７の液体流入口１５から液体圧送部材７内へ流下する。【選択図】 図１
2008151382.tif 000002
【特許請求の範囲】
【請求項１】
再蒸発タンクに復水供給管を接続して、当該再蒸発タンク内で復水から再蒸発した蒸気を吸引するスチームエゼクタを接続したものにおいて、スチームエゼクタに駆動用の蒸気を供給する蒸気供給管に圧力調節弁を取り付け、スチームエゼクタを少なくとも２台配置して、当該スチームエゼクタの吸引室の入口側もしくはディフューザの出口側に流路の切換弁を取り付けて、当該切換弁の切換操作によって、少なくとも２台のスチームエゼクタの接続位置を並列状態に、又は、直列状態に切り換えると共に、当該スチームエゼクタの少なくとも吸引口を再蒸発タンク内に開口したことを特徴とする蒸気の廃熱回収及び減圧装置。
【発明の詳細な説明】
【技術分野】
【０００１】
本発明は、蒸気の凝縮した高温復水を、再蒸発タンク内で再蒸発させて蒸気として再度利用する蒸気の廃熱回収及び減圧装置に関する。
【背景技術】
【０００２】
従来の、蒸気の廃熱回収及び減圧装置は、再蒸発タンクに復水供給管を接続して、この再蒸発タンク内で復水から再蒸発した蒸気を吸引するスチームエゼクタに連通管を介在して再蒸発タンクと接続し、この連通管に圧力制御弁を取り付けたもので、再蒸発タンク内の再蒸発蒸気をスチームエゼクタで吸引して、所定の蒸気使用箇所へ供給することによって、蒸気の廃熱回収を図ることができるものである。
【０００３】
上記従来の、蒸気の廃熱回収及び減圧装置では、スチームエゼクタから所定の蒸気使用箇所へ供給する蒸気の圧力を精度良く調節することができない問題があった。
【０００４】
また、上記従来の、蒸気の廃熱回収及び減圧装置では、連通管と圧力制御弁を介して再蒸発タンクとスチームエゼクタとを接続しているために、再蒸発タンクからスチームエゼクタの吸引口に至るまでの管路における圧力損失が大きくなってしまい、再蒸発タンクで発生した再蒸発蒸気を効率良くスチームエゼクタで吸引することができない問題があった。
【特許文献１】特開２００４−２７８８７１号公報
【発明の開示】
【発明が解決しようとする課題】
【０００５】
解決しようとする課題は、再蒸発蒸気を吸引したスチームエゼクタから供給する蒸気圧力を精度良く調節することができると共に、再蒸発タンクからスチームエゼクタの吸引口に至るまでの圧力損失を極力小さくすることによって、スチームエゼクタで効率良く再蒸発蒸気を吸引することのできる蒸気の廃熱回収及び減圧装置を得ることである。
【課題を解決するための手段】
【０００６】
本発明は、再蒸発タンクに復水供給管を接続して、当該再蒸発タンク内で復水から再蒸発した蒸気を吸引するスチームエゼクタを接続したものにおいて、スチームエゼクタに駆動用の蒸気を供給する蒸気供給管に圧力調節弁を取り付け、スチームエゼクタを少なくとも２台配置して、当該スチームエゼクタの吸引室の入口側もしくはディフューザの出口側に流路の切換弁を取り付けて、当該切換弁の切換操作によって、少なくとも２台のスチームエゼクタの接続位置を並列状態に、又は、直列状態に切り換えると共に、当該スチームエゼクタの少なくとも吸引口を再蒸発タンク内に開口したものである。
【発明の効果】
【０００７】
本発明は、スチームエゼクタの蒸気供給管に圧力調節弁を取り付けたことによって、スチームエゼクタから供給する蒸気圧力を精度良く調節することができると共に、スチームエゼクタの吸引口を再蒸発タンク内に開口したことにより、再蒸発タンクとスチームエゼクタの吸引口との間の圧力損失をほぼ零とすることができ、スチームエゼクタで効率良く再蒸発蒸気を吸引することができる。
【０００８】
また、本発明は、少なくとも２台のスチームエゼクタと流路の切換弁を取り付けて、この切換弁を切換操作することによって、少なくとも２台のスチームエゼクタの接続位置を、並列状態又は直列状態に切り換えることができ、吸入蒸気量が多量に発生した場合はスチームエゼクタを並列状態に、一方、吸入蒸気量が少量の場合はスチームエゼクタを直列状態にすることにより、少量から多量まで変動する再蒸発蒸気を速やかに吸入することができる。
【発明を実施するための最良の形態】
【０００９】
本発明は、圧力調節弁を用いるものであるが、この圧力調節弁は圧力を調節し制御できる弁であれば従来公知の弁、例えは、圧力センサとコントローラを組み合わせた自動圧力調節弁であるとか、自力式の圧力制御弁などを用いることができる。
【実施例】
【００１０】
図１において、再蒸発タンク１と、再蒸発タンク１に復水を供給する復水供給管２と、再蒸発タンク１内に配置した２台のスチームエゼクタ３，８と、スチームエゼクタ３，８の蒸気供給管９に取り付けた圧力調節弁１０、及び、液体圧送部材７とで蒸気の廃熱回収及び減圧装置を構成する。
【００１１】
再蒸発タンク１は円筒形密閉状で、右側面上部に復水供給管２を接続すると共に、左側面下部に復水出口管５を接続する。復水供給管２にはバルブ６と蒸気トラップ２３を介在させて図示しない蒸気使用機器などの復水発生源と接続する。一方、復水出口管５には逆止弁１４を介在させて液体圧送部材７の液体流入口１５と接続する。逆止弁１４は、再蒸発タンク１から液体圧送部材７への液体の流下のみを許容し、反対方向への液体の通過は許容しないものである。
【００１２】
再蒸発タンク１の内部にスチームエゼクタ３，８を配置する。スチームエゼクタ３，８に駆動用の蒸気を供給する蒸気供給管９には、圧力調節弁１０を取り付ける。蒸気供給管９をスチームエゼクタ３，８の吸引室１２，１３内の図示しないノズル部と接続する。吸引室１２，１３の外周面に吸引管１１を連通する。吸引管１１と吸引室１２の間には三方切換弁２６を介在する。スチームエゼクタ８の出口側は、三方切換弁２６と、分岐した二方切換弁２７及び逆止弁２８とそれぞれ連通する。
【００１３】
スチームエゼクタ３，８は、蒸気供給管９から供給される高圧蒸気によって吸引室１２，１３で所定の吸引力を発生するものであり、再蒸発タンク１内で復水から再蒸発した蒸気を、吸引管１１から吸引することができるものである。
【００１４】
蒸気供給管９に取り付けた圧力調節弁１０は、蒸気供給管９の二次側に取り付けた圧力センサ２５と、図示しない圧力コントローラを組み合わせて用いる。圧力センサ２５で蒸気供給管９内の圧力を検出して、圧力コントローラで設定した設定圧力に成るように圧力調節弁１０の弁開度を自動的に制御することによって、蒸気供給管９の二次側から図示しない蒸気使用箇所へ供給される蒸気の圧力を精度良く任意値に調節することができるものである。
【００１５】
再蒸発タンク１の上部に管路２４を接続して圧力制御弁４を取り付ける。圧力制御弁４は、自力式の一次圧力制御弁であり、再蒸発タンク１内の圧力が圧力制御弁４の設定圧力を越えると、圧力制御弁４が開弁して再蒸発タンク１内の圧力を抜くことによって、再蒸発タンク１内の圧力を設定値に維持することができるものである。
【００１６】
液体圧送部材７は、液体流入口１５と液体流出口１６、及び、高圧操作流体導入口１７と高圧操作流体排出口１８を有し、液体流出口１６に逆止弁１９を介して復水排出管２０を接続すると共に、高圧操作流体導入口１７に高圧蒸気管２１を接続する。一方、高圧操作流体排出口１８は均圧管２２によって再蒸発タンク１の上部と連通する。
【００１７】
液体圧送部材７は再蒸発タンク１の下方に配置する。また、液体圧送部材７は、内部に配置した図示しないフロートが下方部に位置する場合に、高圧操作流体導入口１７を閉口し、一方、高圧操作流体排出口１８を開口して、再蒸発タンク１から復水を逆止弁１４と液体流入口１５を通して液体圧送部材７内に流下させる。そして、液体圧送部材７内に復水が溜まって図示しないフロートが所定上方部に位置すると、高圧操作流体排出口１８を閉口し、一方、高圧操作流体導入口１７を開口して、高圧蒸気管２１から高圧圧送用蒸気を内部に流入させることにより、内部に溜まった復水を液体流出口１６と逆止弁１９と復水排出管２０を通して所定箇所へ圧送する。
【００１８】
復水が圧送されて液体圧送部材７内の液位が低下すると、再度、高圧操作流体導入口１７を閉口し、高圧操作流体排出口１８を開口することにより、液体流入口１５から復水を内部へ流下させる。このような作動サイクルを繰り返すことにより、液体圧送部材７は再蒸発タンク１からの復水を所定箇所へ圧送する。
【００１９】
復水供給管２から再蒸発タンク１内へ供給される復水は、再蒸発タンク１内で一部が再蒸発してスチームエゼクタ３，８の吸引室１２，１３へ吸引される。この場合、吸引室１２，１３までの再蒸発蒸気の流れを阻害して圧力損失を大きくする部材は存在せず、従って、再蒸発タンク１内の蒸気は圧力損失がほとんど零の状態で効率良く吸引室１２，１３へ吸引される。
【００２０】
スチームエゼクタ３，８は、蒸気供給管９から供給される高圧蒸気によって吸引室１２，１３で所定の吸引力を発生するものであるが、吸引管１１から吸入する再蒸発蒸気量が多い場合は、二方切換弁２７を開弁すると共に、三方切換弁２６を操作して、吸引管１１と吸引室１２を連通することによって、２つのスチームエゼクタ３，８の接続位置が並列状態となり、双方のスチームエゼクタ３，８で吸引管１１を介して多量の再蒸発蒸気を吸入することができる。
【００２１】
吸引管１１から吸入する再蒸発蒸気量が少ない場合は、二方切換弁２７を閉弁すると共に、三方切換弁２６を操作して、スチームエゼクタ８の出口側とスチームエゼクタ３の吸引室１２を連通することによって、２つのスチームエゼクタ３，８の接続位置が直列状態となり、吸引管１１からスチームエゼクタ８の吸引室１３へ吸入された蒸気が、三方切換弁２６を通ってスチームエゼクタ３の吸引室１２へ吸入され、蒸気供給管９の下流側へ排出される。
【００２２】
なお、再蒸発タンク１の上部の管路２４に取り付けた圧力制御弁４によって、再蒸発タンク１内の圧力を、蒸気トラップ２３から復水が再蒸発タンク１内へ流入することのできる圧力状態、すなわち、復水供給管２内の圧力よりも再蒸発タンク１内の圧力を所定値だけ低い圧力状態とすることによって、蒸気トラップ２３から再蒸発タンク１へ復水を確実に流下させることができる。
【図面の簡単な説明】
【００２３】
【図１】本発明に係る蒸気の廃熱回収及び減圧装置の実施例を示す構成図。
【符号の説明】
【００２４】
１  再蒸発タンク
２  復水供給管
３  スチームエゼクタ
７  液体圧送部材
８  スチームエゼクタ
９  蒸気供給管
１０  圧力調節弁
１１  吸引管
１２，１３  吸引室
１４  逆止弁
１５  液体流入口
１６  液体流出口
１７  高圧操作流体導入口
１８  高圧操作流体排出口
２０  復水排出管
２３  蒸気トラップ
２４  管路
２６  三方切換弁
２７  二方切換弁
２８  逆止弁 
【図１】
2008151382.tif 000003